(57)【要約】【課題】清潔な状態を保ちつつ、メンテナンス性の高いベッドボードを提供すること。【解決手段】薄箱状に形成したボード本体において、ベッド外側の中央部に収納部が設けられており、前記収納部は、前記ボード本体に凹状に形成された凹部と、前記凹部を覆う蓋体と、を有し、前記蓋体を回動可能に支持する支持部を前記収納部の下端付近に設けて、前記支持部を支点に、前記蓋体の上部を前記ベッド外側方向に回動可能に支持することを特徴とする。【選択図】図２
2014204839.tif 000002
【特許請求の範囲】
【請求項１】
薄箱状に形成したボード本体において、ベッド外側の中央部に収納部が設けられており、
前記収納部は、前記ボード本体に凹状に形成された凹部と、前記凹部を覆う蓋体と、を有し、
前記蓋体を回動可能に支持する支持部を前記収納部の下端付近に設けて、
前記支持部を支点に、前記蓋体の上部を前記ベッド外側方向に回動可能に支持することを特徴とするベッドボード。
【請求項２】
薄箱状に形成したボード本体において、
ベッド外側の中央部に収納部が形成され、
前記収納部は、上部の開口部を開閉自在に支持されるように構成されていることを特徴とするベッドボード。
【請求項３】
前記ボード本体の上部付近に把手部を設けたことを特徴とする請求項１又は２に記載のベッドボード。
【発明の詳細な説明】
【技術分野】
【０００１】
ベッドボードに関する。
【背景技術】
【０００２】
従来、患者や介護者等の利用者が利用するベッドとしては、病院等において治療の目的に用いるベッド（以下、病院用ベッド）と、介護施設や自宅等において介護の目的に用いるベッド（以下、介護用ベッド）とが存在している。
【０００３】
ここで、ベッド使用者の身の回り品等の小物を収納可能とすると便利であり、ベッドボード側に収納部を設けるための種々の提案が従来からなされている（例えば、特許文献１参照）。
【０００４】
例えば、図５のように、ベッド９０の足側に設けられたベッドボード９２の外側の中央部に有底の凹部を形成し、凹部の底部側から上方に至る保持板を設けて収納部９４を構成されたベッドボードが知られている。
【先行技術文献】
【特許文献】
【０００５】
【特許文献１】特開２０１０−１６７００９号公報
【発明の概要】
【発明が解決しようとする課題】
【０００６】
ここで、収納部が開放されていることから、通常の使用方法では、小物をしまうことが可能であるが、併せてほこり等が入ってしまう問題が生じていた。特に、介護用ベッド等の場合、ベッドが家庭で用いられており、清潔に利用したいという要望がある。
【０００７】
しかし、従来のベッドボードではほこり等の異物が入りやすい上に、清掃がしにくいといったメンテナンス性の低さが問題であった。
【０００８】
上述した課題に鑑み、本発明は清潔な状態を保ちつつ、メンテナンス性の高いベッドボードを提供することである。
【課題を解決するための手段】
【０００９】
上述した課題を解決するために、本発明のベッドボードは、
薄箱状に形成したボード本体において、ベッド外側の中央部に収納部が設けられており、
前記収納部は、前記ボード本体に凹状に形成された凹部と、前記凹部を覆う蓋体と、を有し、
前記蓋体を回動可能に支持する支持部を前記収納部の下端付近に設けて、
前記支持部を支点に、前記蓋体の上部を前記ベッド外側方向に回動可能に支持することを特徴とする。
【００１０】
本発明のベッドボードは、
薄箱状に形成したボード本体において、
ベッド外側の中央部に収納部が形成され、
前記収納部は、上部の開口部を開閉自在に支持されるように構成されていることを特徴とする。
【発明の効果】
【００１１】
本発明のベッドボードによれば、ボード本体において、ベッド外側の中央部に収納部が形成され、収納部は、上部の開口部を開閉自在に支持されるように構成されていることを特徴とする。これにより、開口部が閉じることにより、ほこり等の混入を防ぐことが可能となる。
【００１２】
また、本発明のベッドボードは、薄箱状に形成したボード本体において、ベッド外側の中央部に収納部が設けられており、収納部は、前記ボード本体に凹状に形成された凹部と、前記凹部を覆う蓋体と、を有し、蓋体を回動可能に支持する支持部を前記収納部の下端付近に設けて、支持部を支点に、前記蓋体の上部を前記ベッド外側方向に回動可能に支持することとなる。これにより、蓋部が閉じられることにより、収納部にほこり等の混入を防ぐことが可能となり、清潔な状態を維持することができる。
【図面の簡単な説明】
【００１３】
【図１】本実施形態におけるベッドボードの正面図である。
【図２】本実施形態におけるベッドボードの斜視図である。
【図３】本実施形態におけるベッドボードの側面図である。
【図４】本実施形態におけるベッドボードの取付例である。
【図５】従来におけるベッドボードを説明するための図である。
【発明を実施するための形態】
【００１４】
以下、本発明の実施形態について、添付図面を参照して説明する。なお、以下の実施形態は、本発明を説明するための必要かつ十分な状態を説明しており、実施形態により本発明の内容を限定しているものではない。
【００１５】
図１はベッドボード１の正面図であり、図２はベッドボード１の斜視図である。また、図３は、ベッドボード１の側面図である。ここで、図１（ａ）、図２（ａ）、図３（ａ）は、収納部５において、蓋が閉じている状態（すなわち、物を収納できない状態）を示している。他方、図１（ｂ）、図２（ｂ）、図３（ｂ）は、収納部５において、蓋が開いている状態（すなわち、物を収納できる状態）を示している。
【００１６】
ベッドボード１は、ベッドボード本体１０の外側の中央付近に収納部５を設けている。ベッドボード本体１０は、薄箱状に形成されており、ベッドボード本体１０の外側、すなわちベッドに設けられた場合にベッド反対側の中央部に凹部１６が形成されている。
【００１７】
そして、凹部１６を覆うように蓋部１２が取り付けられており、凹部１６と蓋部１２とで収納部５が構成されている。蓋部１２は、下端付近でベッドボード本体１０に着脱可能に取り付けられている。本実施形態では、支持部１８により支持されており、取り付けられている。この支持部１８は、例えば凹部と凸部との組み合わせにより支持されることにより、蓋部１２を容易に取り外せる構成としても良い。
【００１８】
そして、蓋部１２は、ベッド外側方向に、支持部１８を中心に回動可能に取り付けられている。具体的には、図３（ｂ）に記載の方向Ａに回動する。蓋部１２の上側部分が開くことにより、収納部５に各種小物等を収納する事が可能となる。
【００１９】
また、蓋部１２を閉じる、すなわち、蓋部１２をベッドボード本体１０側に回動して固定されることにより、収納部５は閉じた状態となる。これにより、外部からのほこりの混入等を防ぐ事ができる。
【００２０】
また、蓋部１２は、ベッドボード本体１０から取り外し可能な構成としても良い。蓋部１２の全体をベッドボード本体１０から取り外すことにより、凹部１６が現れることになり、収納部５全体を容易に清掃することができる。
【００２１】
また、蓋部１２の上方中央付近に把手部１４を設けている。利用者は、把手部１４を利用することにより、蓋部１２を容易に回動することができる。
【００２２】
また、ボード本体１０の正面上方の左右側に把手部２０を設けている。利用者は、把手部２０を利用することにより、ベッドボード１を容易に持ち運ぶことができる。また、把手部２０には、例えばベッド装置のリモコン等を収納する事ができる。更に、把手部２０は、ベッド利用者（高齢者や患者等）が、ベッドの周囲に立っている場合などに、該当部を握って身体を支えること等にも使われることになる。
【００２３】
以上のような構成のベッドボード１は、例えば図４に示すようにベッド３０の足側（頭側）端部に取り付けてベッドボードとして使用することができる。このとき、収納部５は、蓋部１２をベッド外側に回動させることにより、上部に開口部が形成される（図４（ｂ））。そして、開口部から、各種小物、介護用品、雑誌、取扱説明書といった種々の物を収納することができる。
【００２４】
そして、収納後は、図４（ａ）のように、収納部５を閉めておくことができる。これにより、開口部が閉じられ、収納部５の中にほこり、ゴミ等の混入を防ぐ事ができる。
【００２５】
また、清掃する場合には、蓋部１２を外して清掃する事が出来る。これにより利用者はベッドボードの収納部を常に清潔な状況で使用することができる。
【００２６】
以上、この発明の実施形態について図面を参照して詳述してきたが、具体的な構成はこの実施形態に限られるものではなく、この発明の要旨を逸脱しない範囲の設計等も特許請求の範囲に含まれる。
【００２７】
また、上述した実施形態においては、蓋部１２が一体となっている場合について説明したが、例えば開口部近傍を覆う形状としても良い。つまり、普段は開口部近傍において開閉可能に蓋部が設けられており、必要に応じて蓋部を開けたり、閉じたり出来る構成としても良い。
【符号の説明】
【００２８】
１  ベッドボード
１０  ベッドボード本体
１２  蓋部
１４  把手部
１６  凹部
１８  指示部
２０  把手部
３０  ベッド
【図１】
2014204839.tif 000003
【図２】
2014204839.tif 000004
【図３】
2014204839.tif 000005
【図４】
2014204839.tif 000006
【図５】
2014204839.tif 000007